(57)【特許請求の範囲】
【請求項１】
メタリック塗料を使った塗装に適用可能な回転式静電塗装装置であって、
塗料を径方向外方に放出させる回転ヘッドと、
該回転ヘッドの外周部よりも後方に位置し且つ該回転ヘッドの回転軸線を中心とする第１円周上に等間隔に間隔を隔てて配列された複数のシェーピングエア孔であって、該シェーピングエア孔から直接的に前方に噴出するシェーピングエア流によって、前記回転ヘッドの外周縁から径方向外方に放出される塗料を被塗物に差し向けて塗装パターンを生成するためのシェーピングエア孔と、
該回転ヘッドの外周部の後方に位置し且つ前記第１円周と同心であって該第１円周よりも径が小さい第２円周上に等間隔に間隔を隔てて配列され且つ側面視したときに斜め外方に指向された複数の制御エア孔と、
該制御エア孔から直接的に前方に噴出するパターン制御エア流の流量を制御する第１制御手段と、を有し、
前記シェーピングエア孔と前記制御エア孔とが同じ数であり且つ各シェーピングエア孔と該シェーピングエア孔に隣接する前記制御エア孔が放射線上に整列し、
前記シェーピングエア孔及び前記制御エア孔が、前記回転ヘッドの回転方向とは逆方向に実質的に同じ捻れ角の方向に指向され、
前記各シェーピングエア流の軸線が、前記回転ヘッドの外周縁の近傍且つ径方向外方に離間した位置を通過し、
前記各パターン制御エア流の軸線が、前記回転ヘッドの外周縁の近傍且つ径方向外方に離間した位置で、前記各シェーピングエア流の軸線と交差することを特徴とする回転式静電塗装装置。
【請求項２】
前記シェーピングエア孔から流出するシェーピングエア流の流量を制御する第２制御手段を更に有する、請求項１に記載の回転式静電塗装装置。
【請求項３】
前記シェーピングエア流の軸線と前記パターン制御エア流の軸線が交差する位置が、前記回転ヘッドの外周縁に形成される糸状の塗料の先端又は該糸状の塗料の先端から微細な塗料粒子が離れた直後の位置に設定されている、請求項１又は２に記載の回転式静電塗装装置。
【請求項４】
前記シェーピングエア孔の開放端が、前記制御エア孔の開放端よりも前方に位置している、請求項１〜３のいずれか一項に記載の回転式静電塗装装置。
【請求項５】
前記シェーピングエア孔から流出するシェーピングエア流が、側面視で、前記回転ヘッドの回転軸線と平行である、請求項３又は４に記載の回転式静電塗装装置。
【請求項６】
前記回転ヘッドが、カップ状のベルカップである、請求項１〜５のいずれか一項に記載の回転式静電塗装装置。
【請求項７】
メタリック塗料を使った塗装に適用可能な回転式静電塗装装置を用いた塗装パターン制御方法であって、
回転ヘッドの後方に、該回転ヘッドの回転軸線を中心とする第１円周上に等間隔に間隔を隔てて配列され且つ前記回転ヘッドの回転方向とは逆方向の捻れ角の方向に指向された複数のシェーピングエア孔であって、該複数のシェーピングエア孔から直接的に前方に噴出するシェーピングエア流によって、前記回転ヘッドから径方向外方に放出される塗料を被塗物に差し向けて塗装パターンを生成するためのシェーピングエア孔を用意し、
回転ヘッドの後方に、第１円周と同軸且つ該第１円周よりも小さな径の第２円周上に等間隔に間隔を隔てて配列され且つ側面視したときに斜め外方に指向され、そして前記シェーピングエア孔と同じ捻れ角の方向に指向された制御エア孔を用意し、
前記シェーピングエア孔と前記制御エア孔とが同じ数であり且つ各シェーピングエア孔と該シェーピングエア孔に隣接する前記制御エア孔が放射線上に整列しており、
前記回転ヘッドから径方向外方に塗料を放出する塗料放出工程と、
前記シェーピングエア孔から前記シェーピングエア流を流出させて前記塗装パターンを生成する塗装パターン生成工程と、
前記制御エア孔から直接的に噴出する各パターン制御エア流を前記回転ヘッドの外周縁の近傍且つ径方向外方に離間した位置で前記各シェーピングエア流と交差させて前記塗装パターンの径を変える塗装パターン制御工程とを有する塗装パターン制御方法。
【発明の詳細な説明】
【技術分野】
【０００１】
本発明は回転式静電塗装装置及び塗装パターン制御方法に関する。
【背景技術】
【０００２】
静電塗装技術は、微粒化した塗料を静電力によって電気的に被塗物（ワーク）に吸着させるものであるが、これを実現する装置として、回転ヘッドを備えた回転式静電塗装装置が知られており、回転ヘッドの典型例がカップ状のベルカップである。この種の静電塗装装置は、粉体塗料、絶縁性液体塗料（例えば油性塗料）及び導電性液体塗料（例えばメタリック塗料や水性塗料）に適用され、また、回転式静電塗装装置は回転ヘッドに高電圧を印加する形式と、回転ヘッドから径方向外方に離間した外部電極に高電圧を印加する形式が知られている。
【０００３】
回転式静電塗装装置は、塗料を被塗物に差し向けるためにシェーピングエア流が用いられ、このシェーピングエア流によって塗装パターンが規定される。特許文献１の従来技術の欄に記載されているとおり、シェーピングエア流は、ベルカップの後方に位置するシェーピングエア孔から流出し、そして、歴史的に、ベルカップの背面の外周縁部に差し向けられていた。シェーピングエア孔から流出するシェーピングエア流は、ベルカップの背面の外周縁部に衝突するため、その流速が小さくなる。このことから、シェーピングエアの流れによって生成されるベルカップの前方の負圧によって、ベルカップを通過した後のシェーピングエアの流れが径方向内方に引き寄せられ、この結果、塗装パターンの径が小さくなる傾向がある。
【０００４】
既知のようにメタリック塗料は、その微細な塗料粒子がワークの表面に衝突する速度が大きい方が好ましい。しかし、シェーピングエアの流速が早くなるほどベルカップの前方の負圧が増大してしまい、この結果、塗装パターンの径が小さくなってしまうという問題がある。この問題に対して、特許文献１は、シェーピングエア孔から流出するシェーピングエア流の向きに関して、ベルカップの回転軸線回りの捻れ方向に指向させてシェーピングエア孔の向きを設定することを提案している。このように捻れ方向に指向したシェーピングエア孔によってシェーピングエアは螺旋状の旋回流となり、この旋回流の遠心力によって塗装パターンの径を拡大させることができる。
【０００５】
特許文献２は、特許文献１の発明の改良を提案している。すなわち、特許文献１の発明はメタリック塗装のためにシェーピングエアの流速を高めたときの問題を解消するものであるが、特許文献２は、塗装パターンの径が一定であると例えば自動車ピラーのような幅狭な部位を塗装する際にオーバースプレーとなって塗料のロスなどの問題があると指摘し、これに対する改善案を提案している。
【０００６】
特許文献２が提案する発明は、特許文献１で提案したシェーピングエア流の向き、つまりベルカップの回転軸線回りの捻れ方向にシェーピングエア孔の向きを設定することを前提として、シェーピングエア孔よりも径方向外方に制御エア孔を用意し、この制御エア孔から流出するパターン制御エア流をベルカップの外周縁でシェーピングエア流と衝突させ、そして、パターン制御エアの流出量を変えることで塗装パターン幅を制御するものである。ここに、シェーピングエア孔の径方向外方に位置する制御エア孔は、ベルカップの回転軸線回りの捻れ角がゼロであり、ベルカップの回転軸線に向けて傾斜している。つまり、シェーピングエア孔は、ベルカップの回転軸線回りの捻れ角を有し、そして、ベルカップの背面の外周縁に指向されている。これに対して、制御エア孔は、ベルカップの回転軸線回りの捻れ角はゼロである。そして、パターン制御エア流はベルカップの回転軸線に向けて傾斜しているため、ベルカップの外周縁でシェーピングエア流と合流する。
【０００７】
パターン制御エア流の流出を停止したときには、螺旋状に旋回するシェーピングエア流の遠心力が、ベルカップの前方の負圧による吸引力に打ち勝つことにより、相対的に大きな径の塗装パターンが形成される。他方、パターン制御エア流を流出させたときには、このパターン制御エア流は捻れ角がゼロであるため、パターン制御エア流がシェーピングエア流と合流することでシェーピングエア流の捻れ角が実質的に小さくなり、この結果、螺旋状に旋回するシェーピングエア流の旋回力が弱くなる。したがって、シェーピングエア流の遠心力は相対的に小さくなり、このためベルカップ前方の負圧の影響が強くなって塗装パターンの径が小さくなる。
【０００８】
以上のように、特許文献２は、メタリック塗装に関して、螺旋状に旋回するシェーピングエア流の捻れ角を、シェーピングエア流と合流するパターン制御エア流によって小さくすることで塗装パターンの径を小さくすることを提案するものである。
【０００９】
塗装パターンの径の可変制御に関し、特許文献３は別の提案を行っている。特許文献３の提案は、シェーピングエア孔の径方向外方に制御エア孔を用意する点で特許文献２と共通するが、特許文献３の発明にあっては、第一に制御エア流を螺旋状に旋回させる点で特許文献２とは異なり、第二にパターン制御エア流がシェーピングエアの流れと平行である（パターン制御エア流とシェーピングエア流とは合流しない）点で特許文献２とは異なっている。
【００１０】
より具体的に説明すると、特許文献３の発明にあっては、螺旋状に旋回するシェーピングエアの流れの径方向外周に、シェーピングエア流とは異なる捻れ角の螺旋状に旋回するパターン制御エアの流れを生成し、そして、このパターン制御エアの流出量を制御することで、シェーピングエア流の実質的な捻れ角を変化させるものである。シェーピングエア流の実質的な捻れ角が変化することで塗装パターンの径が変化するのは特許文献２の説明のとおりである。
【００１１】
【特許文献１】特開平３−１０１８５８号公報
【特許文献２】特開平７−２４３６７号公報
【特許文献３】特開平８−８４９４１号公報
【発明の開示】
【発明が解決しようとする課題】
【００１２】
本発明の目的は、回転式静電塗装における塗装パターンの径を可変にする回転式静電塗装装置及び塗装パターン制御方法を提供することにある。
【００１３】
本発明の更なる目的は、特許文献２、３に開示の発明とは異なる手法で塗装パターンの径を可変にする回転式静電塗装装置及び塗装パターン制御方法を提供することにある。
【課題を解決するための手段】
【００１４】
上記の技術的課題は、本発明の第一の観点によれば、
メタリック塗料を使った塗装に適用可能な回転式静電塗装装置であって、
塗料を径方向外方に放出させる回転ヘッドと、
該回転ヘッドの外周部よりも後方に位置し且つ該回転ヘッドの回転軸線を中心とする第１円周上に等間隔に間隔を隔てて配列された複数のシェーピングエア孔であって、該シェーピングエア孔から直接的に前方に噴出するシェーピングエア流によって、前記回転ヘッドの外周縁から径方向外方に放出される塗料を被塗物に差し向けて塗装パターンを生成するためのシェーピングエア孔と、
該回転ヘッドの外周部の後方に位置し且つ前記第１円周と同心であって該第１円周よりも径が小さい第２円周上に等間隔に間隔を隔てて配列され且つ側面視したときに斜め外方に指向された複数の制御エア孔と、
該制御エア孔から直接的に前方に噴出するパターン制御エア流の流量を制御する第１制御手段と、を有し、
前記シェーピングエア孔と前記制御エア孔とが同じ数であり且つ各シェーピングエア孔と該シェーピングエア孔に隣接する前記制御エア孔が放射線上に整列し、
前記シェーピングエア孔及び前記制御エア孔が、前記回転ヘッドの回転方向とは逆方向に実質的に同じ捻れ角の方向に指向され、
前記各シェーピングエア流の軸線が、前記回転ヘッドの外周縁の近傍且つ径方向外方に離間した位置を通過し、
前記各パターン制御エア流の軸線が、前記回転ヘッドの外周縁の近傍且つ径方向外方に離間した位置で、前記各シェーピングエア流の軸線と交差することを特徴とする回転式静電塗装装置を提供することにより達成される。
【００１５】
また、上記の技術的課題は、本発明の第二の観点によれば、
メタリック塗料を使った塗装に適用可能な回転式静電塗装装置を用いた塗装パターン制御方法であって、
回転ヘッドの後方に、該回転ヘッドの回転軸線を中心とする第１円周上に等間隔に間隔を隔てて配列され且つ前記回転ヘッドの回転方向とは逆方向の捻れ角の方向に指向された複数のシェーピングエア孔であって、該複数のシェーピングエア孔から直接的に前方に噴出するシェーピングエア流によって、前記回転ヘッドから径方向外方に放出される塗料を被塗物に差し向けて塗装パターンを生成するためのシェーピングエア孔を用意し、
回転ヘッドの後方に、第１円周と同軸且つ該第１円周よりも小さな径の第２円周上に等間隔に間隔を隔てて配列され且つ側面視したときに斜め外方に指向され、そして前記シェーピングエア孔と同じ捻れ角の方向に指向された制御エア孔を用意し、
前記シェーピングエア孔と前記制御エア孔とが同じ数であり且つ各シェーピングエア孔と該シェーピングエア孔に隣接する前記制御エア孔が放射線上に整列しており
前記回転ヘッドから径方向外方に塗料を放出する塗料放出工程と、
前記シェーピングエア孔から前記シェーピングエア流を流出させて前記塗装パターンを生成する塗装パターン生成工程と、
前記制御エア孔から直接的に噴出する各パターン制御エア流を前記回転ヘッドの外周縁の近傍且つ径方向外方に離間した位置で前記各シェーピングエア流と交差させて前記塗装パターンの径を変える塗装パターン制御工程とを有する塗装パターン制御方法を提供することにより達成される。
【００１６】
本発明によれば、各シェーピングエア流と同じ捻れ角の方向の各パターン制御エア流を、各シェーピングエア流の内周側から合流させ、且つ、この合流位置が、回転ヘッドの外周縁の近傍且つ径方向外方に離間した位置であることから、パターン制御エア流によってシェーピングエア流に径方向外方への力を付与することができる。したがって、螺旋状に旋回するシェーピングエア流の捻れ角を実質的に変化させないで、シェーピングエア流の遠心力をパターン制御エア流によって増強することができ、これによりシェーピングエア流によって規定される塗装パターンの径を拡大することができる。
【００１７】
本発明の上記目的及び他の目的、作用効果は、以下の実施例の詳しい説明から明らかになろう。
【発明を実施するための最良の形態】
【００１８】
以下に、添付の図面に基づいて本発明の好ましい実施例を説明する。
【００１９】
第１実施例（図１〜図５）：
図１を参照して、図示の回転式静電塗装装置１０は、従来と同様に、装置本体１１に内蔵されたエアモータによって回転するカップ状の回転ヘッドつまりベルカップ１３を有する。塗料はベルカップ１３の中心部分に供給され、ベルカップ１３の内面を伝って径方向外方に移動した後、ベルカップ１３の外周縁１３ａから放出される。図中、Ｌは、前述したように、ベルカップ１３の回転軸線を示し、矢印Ａはベルカップ１３の回転方向を示す。
【００２０】
ベルカップ１３の外周部よりも後方にエアリング１４を有する。図２はベルカップ１３の正面図である。図２を参照して、エアリング１４には、第１、第２の２つの環状空間１５、１６が形成されている。そして、エアリング１４の端面には、同心の第１、第２の円周Ｃ1、Ｃ2上にシェーピングエア孔１７、制御エア孔１８が配列されている。すなわち、相対的に大きな径の第１円周Ｃ1上には複数のシェーピングエア孔１７が等間隔に配列され、このシェーピングエア孔１７には第１環状空間１５を通じて圧力エアが供給される。他方、相対的に小さな径の第２円周Ｃ2上には複数の制御エア孔１８が等間隔に配列され、この制御エア孔１８には第２環状空間１６を通じて圧力エアが供給される。
【００２１】
シェーピングエア孔１７の数と制御エア孔１８の数は同一であり、一つのシェーピングエア孔１７と、これに対応する制御エア孔１８はベルカップ１３の回転軸線Ｌから伸びる放射線上に位置決めされている。
【００２２】
図１の参照符号２０は高電圧発生器であり、高電圧発生器２０で生成した高圧ＤＣはエアモータ１２のケースを通じてベルカップ１３に供給される。そして、高電圧が印加されたベルカップ１３と被塗物（ワーク）との間に電界が生成される。
【００２３】
図３はベルカップ１３の正面図である。図３を参照して、ベルカップ１３が回転することにより、ベルカップ１３の内周面に沿って塗料が径方向外方に広がり、そして、塗料はベルカップ１３の外周縁１３ａから糸状に延出した後に、ベルカップ１３の外周縁の近傍で糸状の塗料２２が分断されて微粒化した粒子２３になると共にイオン化する。
【００２４】
塗料粒子２３は、シェーピングエア孔１７から流出するシェーピングエア流Ｆsによって前方つまり被塗物に差し向けられる。塗装パターン２５（図１）はシェーピングエア流によって規定される。図２及び図４を参照して、シェーピングエア孔１７は、ベルカップ１３の回転方向Ａとは逆方向の捻り角θの方向に指向されている。これにより、特許文献１〜３と同様に、螺旋状に旋回したシェーピングエア流Ｆsを生成することができ、その旋回方向は、ベルカップ１３の回転方向とは逆方向である。ベルカップ１３の回転方向Ａとは逆方向に螺旋状に旋回するシェーピングエア流Ｆsによって塗料の粒子を微細化することができる。シェーピングエア孔１７から流出するシェーピングエア流Ｆsは、実施例では、図４から分かるように、側面視したときに、ベルカップ１３の回転軸線Ｌと平行である。
【００２５】
複数のシェーピングエア孔１７が位置する第１円周Ｃ1（図２）よりも小さな径の第２円周Ｃ2上に位置する制御エア孔１８について説明すると、この制御エア孔１８も上述したシェーピングエア孔１７の捻り角θと実質的に同じ角度でベルカップ１３の回転方向Ａとは逆方向に指向されている。
【００２６】
また、この制御エア孔１８は、図４から分かるように、側面視したときに、斜め外方に指向されており、これにより、制御エア孔１８から流出したパターン制御エア流Ｆpはシェーピングエア流Ｆsと合流する。
【００２７】
シェーピングエア流Ｆs及びパターン制御エア流Ｆpについて詳しく説明すると、シェーピングエア流Ｆs及びパターン制御エア流Ｆpは、共に、ベルカップ１３の回転方向Ａとは逆方向に螺旋状に旋回する旋回流である。そして、シェーピングエア流Ｆs及びパターン制御エア流Ｆpの捻れ角は実質的に同じである（捻れ角θが実質的に同じ）。
【００２８】
また、一つのシェーピングエア孔１７から流出したシェーピングエア流Ｆsは、この一つのシェーピングエア孔１７に隣接した、対応する制御エア孔１８から流出したパターン制御エア流Ｆpと合流するように設定されているのは上述した通りであるが、この合流点は、ベルカップ１３の外周縁１３ａが占める平面において、ベルカップ１３の外周縁１３ａの近傍且つ外周縁１３ａから離間した位置であり、具体的には好ましくは２〜３mmである。
【００２９】
全てのシェーピングエア孔１７から流出するシェーピングエア流Ｆsと、各シェーピングエア孔１７に対応して放射線上で整列している制御エア孔１８から流出するパターン制御エア流Ｆpとの合流位置を図３で説明すると、先ず図３は、ベルカップ１３の外周縁１３ａが占める平面をベルカップ１３の正面から見た図である。この図３において、シェーピングエア流Ｆsとパターン制御エア流Ｆpとの合流位置を参照符号２７で示してある。
【００３０】
この合流位置２７は、ベルカップ１３の外周縁１３ａから径方向外方に２〜３mm離間した位置である。この合流位置２７は、具体的には、ベルカップ１３から径方向外方に放出される塗料との関係で設定される。この点について説明すると、ベルカップ１３の外周縁１３ａから塗料が糸状２２に延出し、そしてその後、糸状の塗料２２が分断して微細な塗料粒子２３になることは前述したとおりであるが、合流位置２７は、糸状の塗料２２の先端又は微細な塗料粒子２３が離れた直後の位置に設定される。勿論、糸状の塗料２２の長さは、ベルカップ１３の回転数や適用される塗料の種類などによって一律に定義することはできないが、ベルカップ１３の外周縁１３ａから径方向外方に２〜３mm離間した位置であれば、多くの適用例において糸状の塗料２２の先端又は微細な塗料粒子２３が離れた直後の位置であると言うことができる。
【００３１】
図１を参照して、シェーピングエア流Ｆsの圧力エア源と、パターン制御エア流Ｆpの圧力エア源とは共通であり、エアリング１４の第１環状空間１５（シェーピングエア流）に通じる第１配管３０と、第２環状空間１６（パターン制御エア流）に通じる第２配管３１には、夫々、第１、第２の流量制御弁３２、３３が介装されている。第１、第２の流量制御弁３２、３３はコントローラ３５によって制御される。
【００３２】
被塗物（ワーク）の部位に応じた塗装パターンの径は、基本的には、第２流量制御弁３３（制御エアの流量）を制御することによって行われる。勿論、これに第１流量制御弁３２（シェーピングエアの流量）の制御を加えてもよい。具体的に典型例で説明すると、塗装すべき面が比較的広い部位に対しては、第２流量制御弁３３が開かれて、制御エア孔１８からパターン制御エア流Ｆpが流出される。パターン制御エア流Ｆpがシェーピングエア流Ｆsと合流することにより、シェーピングエア流Ｆsの捻れ角θに対して実質的に影響を及ぼさないで、パターン制御エア流Ｆpによってシェーピングエア流Ｆsには径方向外方の力が付与され、この力で、螺旋状に旋回するシェーピングエア流Ｆsの遠心力が増強される。したがって、制御エア孔１８からパターン制御エア流Ｆpを流出させることで塗装パターン２５の直径を拡大することができる。
【００３３】
他方、塗装すべき面が比較的小さい部位に対しては、第２流量制御弁３３が閉じられて、制御エア孔１８からのパターン制御エア流Ｆpの流出が停止される。したがって、静電塗装装置１０は、螺旋状に旋回するシェーピングエア流Ｆsによって塗装パターン２５が規定される。換言すれば、塗装パターン２５はパターン制御エア流Ｆpを流出させた場合と比較して小さくなる。
【００３４】
また、上記の実施例では、典型例としてパターン制御エア流ＦpをＯＮ/ＯＦＦする制御例を説明したが、パターン制御エア流Ｆpを多段階制御又はリニアな可変制御を採用してもよいことは言うまでもない。
【００３５】
第２実施例（図６、図７）：
第２実施例は、第１実施例の変形例でもある。第１実施例では、エアリング１４に関し、シェーピングエア孔１７と、このシェーピングエア孔１７よりも径方向内方に位置する制御エア孔１８は共通の平面内に開放されているが（図１）、エアリング１４の端面を段付き面で構成し、図７に拡大して示すように、シェーピングエア孔１７が位置する外周部１４ａを、制御エア孔１８が位置する内周部１４ｂよりも前方に突出させ、シェーピングエア孔１７とベルカップ１３の外周縁１３ａとの距離を接近させるようにしてもよい。ちなみに、エアリング１４の外周部１４ａと内周部１４ｂとの間の段部の高さ（Δｈ）は２〜３mmである。すなわち、第２実施例では、シェーピングエア孔１７の開放端が、制御エア孔１８の開放端よりも２〜３mm前方に位置している。
【００３６】
このように、シェーピングエア孔１７の開放端をベルカップ１３の外周縁１３ａに接近させる、つまり被塗物に接近させることで被塗物への塗料粒子の衝突速度を上げることができる。特に試作品によればメタリック塗装の塗装品質を高めるのに効果的であることが確認できた。
【００３７】
以上、本発明の実施例を説明したが、塗装パターン制御の例として、第１、第２の流量制御弁３２、３３の制御を組み合わせることで塗装パターン２５の直径の拡大及び／又は縮小を制御するようにしてもよい。例えば、第２流量制御弁３３を大きく開く（パターン制御エア流Ｆp：大）と共に第１流量制御弁３２を絞り込んでシェーピングエア流Ｆsを弱めることで塗装パターン２５の直径を大きくすることができる。このように、塗装パターン２５の直径の拡大、縮小に関する制御において、第１、第２の流量制御弁３２、３３の制御を組み合わせることで、塗装パターン２５の直径をリニアに変化させることができる。
【００３８】
また、実施例では、パターン制御エア流Ｆpの流量制御に関係なくベルカップ１３に供給する塗料の量は同じであるが、パターン制御エア流Ｆpの流量制御に対応して生成される塗装パターン２５の直径に対応した塗料の量となるようにベルカップ１３に供給する塗料の量も制御するようにしてもよい。なお、パターン制御エア流Ｆpの流量制御に関係なく塗料の量を一定にする制御例においては、色味が塗装パターン２５の直径と塗料の量との関係に影響を受けるメタリック塗装には適切ではない。したがって、パターン制御エア流ＦpのＯＮ/ＯＦＦに関係なく塗料の量を一定にする制御例を採用するのであれば、メタリック塗料以外の塗料に適用するのがよい。換言すれば、メタリック塗装の場合には、パターン制御エア流だけの制御に止まらず、塗料の量の制御やシェーピングエア流の制御を加えるのがよい。
【００３９】
また、実施例では、シェーピングエア流Ｆsが、側面視したときに、ベルカップ１３の回転軸線Ｌと平行であったが、若干傾斜していてもよく、シェーピングエア流Ｆsが回転軸線Ｌに接近する方向に傾斜していてもよく、逆に、シェーピングエア流Ｆsが回転軸線Ｌから遠ざかる方向に傾斜していてもよい。
【００４０】
以上、ベルカップ１３に高電圧を印加する形式の回転式静電塗装装置１０を例に本発明の実施例を説明したが、水性塗料などの導電性塗料に用いられる外部電極を備えた回転式静電塗装装置に対しても本発明を同様に適用できるのは言うまでもない。
【図面の簡単な説明】
【００４１】
【図１】第１実施例の回転式静電塗装装置の基本構成図である。
【図２】ベルカップの外周縁が占める平面をベルカップの正面から見た正面図である。
【図３】シェーピングエア流とパターン制御エア流とが合流する位置を説明するための図である。
【図４】シェーピングエア孔及び制御エア孔の向きを説明するための側面図である。
【図５】回転式静電塗装装置を斜め前方から見た斜視図である。
【図６】第２実施例の回転式静電塗装装置の基本構成図である。
【図７】第２実施例に含まれるエアリングの段付き構造を示すための要部拡大図である。
【符号の説明】
【００４２】
Ｌ      ベルカップの回転軸線
Ａ      ベルカップの回転方向
Ｃ1    第１円周（シェーピングエア孔）
Ｃ2    第２円周（制御エア孔）
Ｆs    シェーピングエア流
Ｆp    パターン制御エア流
θ      捻れ角
１０    回転式静電塗装装置
１１    装置本体
１２    エアモータ
１３    ベルカップ
１３ａ    ベルカップの外周縁
１３ｂ    ベルカップの内周面
１４    エアリング
１４ａ  エアリングの外周部
１４ｂ  エアリングの内周部
１７    シェーピングエア孔
１８    制御エア孔
２２    糸状の塗料
２３    微細な塗料の粒子
２５    塗装パターン
２７    合流位置
【図１】
0005490369.tif 000002
【図２】
0005490369.tif 000003
【図３】
0005490369.tif 000004
【図４】
0005490369.tif 000005
【図５】
0005490369.tif 000006
【図６】
0005490369.tif 000007
【図７】
0005490369.tif 000008